(57)【要約】【課題】異なるウェブサイトが有機的に連携しながら同一のソースで得られた動的な情報を用いて有意義なウェブページのコンテンツを提供する。【解決手段】所定のテーマに関連するウェブページを提供するよう所定の広域ネットワークに複数散在する第一のサイト１１と、所定のテーマに関連して閲覧者に対し種々のサービスを行うよう広域ネットワークに接続された第二のサイト１２と、所定のテーマが属する包括テーマに関連して閲覧者に対し種々のサービスを行うよう広域ネットワークに接続された第三のサイト１３とを備え、これらの各サイト１１〜１３が、いずれかのサイト１１〜１３で得られた動的な情報を共有しながら、かかる動的な情報や他の静的な情報を用いてそれぞれウェブページを自動的に生成し、閲覧者の閲覧に供する。【選択図】　　　　図１
2004046508.tif 000002
【特許請求の範囲】
【請求項１】
所定のテーマに関連するウェブページを提供するよう所定の広域ネットワークに複数散在する第一情報提供局と、
前記所定のテーマに関連して閲覧者に対し種々のサービスを行うよう前記広域ネットワークに接続された第二情報提供局と、
前記所定のテーマが属する包括テーマに関連して閲覧者に対し種々のサービスを行うよう前記広域ネットワークに接続された第三情報提供局と
を備え、
前記第一情報提供局、前記第二情報提供局及び前記第三情報提供局のそれぞれが、
管理者の導入により予め保有される静的な情報が格納される静的情報データベースと、
管理者の導入以外の所定の事象により生成される動的な情報が格納される動的情報データベースと、
前記静的情報データベース内の前記静的な情報及び前記動的情報データベース内の前記動的な情報に基づいて所定の条件に従って自動的にウェブページを生成するウェブページ自動生成部と
を備え、
前記第一情報提供局内で保有された前記動的な情報が、少なくとも前記第二情報提供局に転送されて共有され、
前記第二情報提供局内で保有された前記動的な情報が、少なくとも前記第三情報提供局に転送されて共有されることを特徴とする情報提供システム。
【請求項２】
請求項１に記載の情報提供システムであって、
前記第一情報提供局内で保有された前記動的な情報が、前記第三情報提供局にも転送されて共有され、
前記第二情報提供局内で保有された前記動的な情報が、前記第一情報提供局にも転送されて共有され、
前記第三情報提供局内で保有された前記動的な情報が、前記第一情報提供局及び／または前記第二情報提供局にも転送されて共有されることを特徴とする情報提供システム。
【請求項３】
請求項１または請求項２に記載の情報提供システムであって、
前記第一情報提供局、前記第二情報提供局及び前記第三情報提供局のうちのいずれかの局が、閲覧者の所定の操作により当該閲覧者自身を特定するための識別情報及びパスワードを登録する認証登録部をさらに備え、
前記第一情報提供局、前記第二情報提供局及び前記第三情報提供局のうちの少なくとも他のいずれかの局が、前記認証登録部で登録された前記識別情報及びパスワードに基づいて閲覧を認証するための認証処理部をさらに備える情報提供システム。
【請求項４】
請求項１ないし請求項３のいずれかに記載の情報提供システムであって、
前記第一情報提供局、前記第二情報提供局及び前記第三情報提供局のうちの少なくともいずれかの局が、前記動的な情報を含ませた電子メールファイルを所定の閲覧者に送信するメールサーバをさらに備える情報提供システム。
【請求項５】
請求項１ないし請求項４のいずれかに記載の情報提供システムであって、
前記動的な情報に、他の情報提供局の閲覧認証を得るための認証情報が含まれることを特徴とする情報提供システム。
【発明の詳細な説明】
【０００１】
【発明の属する技術分野】
この発明は、インターネット等の広域ネットワーク上で閲覧者に対して情報の提供を行う情報提供システムに関する。
【０００２】
【従来の技術】
インターネットにおいて、例えば、ポータルサイトと称されるウェブページ（またはホームページとも言う）には、検索サービスやニュース等の様々な情報提供サービスが用意されているが、このような各種のサービスを、例えばカスタマイズドポータルと称されるウェブサイトのように、登録された利用者の好みに応じて編集（カスタマイズ）した形で閲覧できるようになっているものがある。
【０００３】
また、例えば会員制のホームページでは、パスワードの入力により認証を行うことで、登録された利用者のみに限定してウェブページを閲覧できるようにしているものもある。
【０００４】
これらのウェブページの場合、図７の如く、利用端末１からアクセスされたときに、通常のウェブサーバ２内に予め格納されているＨＴＭＬ言語のウェブページを利用端末（閲覧端末）１にそのまま送信するのではなく、所定のデータベース３に登録されている利用者個人情報等を例えばＡＳＰ（Ａｃｔｉｖｅ　Ｓｅｒｖｅｒ　Ｐａｇｅｓ）やＣＧＩ（Ｃｏｍｍｏｎ　Ｇａｔｅｗａｙ　Ｉｎｔｅｒｆａｃｅ）等の技術を用いて参照し、その参照結果に応じて、ダイナミック（動的）にＨＴＭＬを生成処理（ＨＴＭＬ動的生成処理４）することが行われている。
【０００５】
あるいは、インターネット上に存在する様々なウェブページに対して、例えばキーワードを元に自動的にリンクを貼るＨＴＭＬ修正手段が使用されることもある。
【０００６】
ここで、ウェブサーバ内にＨＴＭＬ言語等を使用して予め作成された情報を「静的な情報」と、ダイナミックに生成処理されたウェブページを「動的な情報」と称することにする。
【０００７】
【発明が解決しようとする課題】
従来のホームページやポータルサイトによるサービスは、閲覧用の利用端末からの一方的且つ受動的な閲覧行為を前提とするものであった。
【０００８】
また、カスタマイズドポータルと呼ばれるような閲覧者個人毎にカスタマイズされたホームページも、同様に受動的であった。
【０００９】
さらに、会員登録制のホームページのサービスも多数あるが、これらも利用者の閲覧範囲を制御することができるだけで、受動的であることに変りはない。
【００１０】
さらにまた、ファン投票サイトなどで利用者の能動的な意見・意思を集計するホームページのサービスがあったり、チャットや掲示板で利用者通しが会話をできるサービスもあるが、そうした内容は、「イベント」や「サービス」についてのそれぞれ単独のものであり、ネットワーク上に存在する様々なコンテンツが相互に有機的に関連し合ってホームページの閲覧に供するといった大々的にダイナミックなものはなかった。
【００１１】
そこで、この発明の課題は、異なるウェブサイトが有機的に連携しながら同一のソースで得られた動的な情報を用いて有意義なウェブページのコンテンツを容易に提供し得る情報提供システムを提供することにある。
【００１２】
【課題を解決するための手段】
上記課題を解決すべく、請求項１に記載の発明は、所定のテーマに関連するウェブページを提供するよう所定の広域ネットワークに複数散在する第一情報提供局と、前記所定のテーマに関連して閲覧者に対し種々のサービスを行うよう前記広域ネットワークに接続された第二情報提供局と、前記所定のテーマが属する包括テーマに関連して閲覧者に対し種々のサービスを行うよう前記広域ネットワークに接続された第三情報提供局とを備え、前記第一情報提供局、前記第二情報提供局及び前記第三情報提供局のそれぞれが、管理者の導入により予め保有される静的な情報が格納される静的情報データベースと、管理者の導入以外の所定の事象により生成される動的な情報が格納される動的情報データベースと、前記静的情報データベース内の前記静的な情報及び前記動的情報データベース内の前記動的な情報に基づいて所定の条件に従って自動的にウェブページを生成するウェブページ自動生成部とを備え、前記第一情報提供局内で保有された前記動的な情報が、少なくとも前記第二情報提供局に転送されて共有され、前記第二情報提供局内で保有された前記動的な情報が、少なくとも前記第三情報提供局に転送されて共有されるものである。
【００１３】
請求項２に記載の発明は、請求項１に記載の情報提供システムであって、前記第一情報提供局内で保有された前記動的な情報が、前記第三情報提供局にも転送されて共有され、前記第二情報提供局内で保有された前記動的な情報が、前記第一情報提供局にも転送されて共有され、前記第三情報提供局内で保有された前記動的な情報が、前記第一情報提供局及び／または前記第二情報提供局にも転送されて共有されるものである。
【００１４】
請求項３に記載の発明は、請求項１または請求項２に記載の情報提供システムであって、前記第一情報提供局、前記第二情報提供局及び前記第三情報提供局のうちのいずれかの局が、閲覧者の所定の操作により当該閲覧者自身を特定するための識別情報及びパスワードを登録する認証登録部をさらに備え、前記第一情報提供局、前記第二情報提供局及び前記第三情報提供局のうちの少なくとも他のいずれかの局が、前記認証登録部で登録された前記識別情報及びパスワードに基づいて閲覧を認証するための認証処理部をさらに備えるものである。
【００１５】
請求項４に記載の発明は、請求項１ないし請求項３のいずれかに記載の情報提供システムであって、前記第一情報提供局、前記第二情報提供局及び前記第三情報提供局のうちの少なくともいずれかの局が、前記動的な情報を含ませた電子メールファイルを所定の閲覧者に送信するメールサーバをさらに備えるものである。
【００１６】
請求項５に記載の発明は、請求項１ないし請求項４のいずれかに記載の情報提供システムであって、前記動的な情報に、他の情報提供局の閲覧認証を得るための認証情報が含まれるものである。
【００１７】
【発明の実施の形態】
図１はこの発明の一の実施の形態に係る情報提供システムの全体的な概念を示すブロック図である。尚、各図において、データベースのことを「ＤＢ」と略称して表示している。
【００１８】
この情報提供システムは、図１の如く、インターネット等の所定のネットワーク上に散在する第一のサイト（第一情報提供局）１１と、これらの第一のサイト１１との連携により所定のウェブページを動的に自動生成する第二のサイト（第二情報提供局）１２と、第一のサイト１１及び第二のサイト１２から与えられた情報に基づいて所定のウェブページを動的に自動生成する第三のサイト（第三情報提供局）１３とを備える。
【００１９】
第一のサイト１１は、例えば、特定のアーティストのファンサイト等といった所定のテーマに基づいて運営されている個人サイト等のようなウェブサイトであって、例えばインターネット等の所定のネットワーク上に複数存在しており、会員登録によりインターネット上の閲覧用の利用端末（コンピュータ装置）や携帯電話による閲覧が可能とされているものである。
【００２０】
具体的に、各第一のサイト１１は、インターネット等の広域ネットワークに接続された一般的なコンピュータ装置が使用され、図２の如く、当該第一のサイト１１を閲覧する閲覧者の個人情報を格納する個人情報データベース（個人情報ＤＢ）２１と、当該第一のサイト１１において閲覧者が会員登録を起こってその会員として実行可能な範囲を設定し登録する認証登録部２２と、例えば上記の所定のテーマに関連して予め作成された静的な情報を格納する静的情報データベース（Ｓｔａｔｉｃ　ＤＢ）２３と、閲覧者の所定の投票やコメント等の所定の動的な情報が与えられたときにその動的な情報を蓄積する動的情報データベース（Ｄｙｎａｍｉｃ　ＤＢ）２４と、個人情報データベース２１、静的情報データベース２３及び動的情報データベース２４内の各情報に基づいて上記のテーマに関連するウェブページをＨＴＭＬ言語で自動的に生成するＨＴＭＬ自動生成部（ウェブページ自動生成部）２５と、このＨＴＭＬ自動生成部２５で生成されたウェブページを格納して閲覧者が閲覧できる状態に設定するウェブサーバ２６と、ＨＴＭＬ自動生成部２５で生成されたウェブページを格納して外部のウェブページ閲覧機能付きの携帯電話で閲覧できる状態に設定する携帯ウェブサーバ２７とを備える。
【００２１】
個人情報データベース２１は、閲覧者が当該第一のサイト１１毎に閲覧したり、この各第一のサイト１１内に投票ページが存在している場合にその投票ページに投票を行ったり、電子掲示板と呼ばれる意見投稿ページに意見を投稿したりする場合に必要とされるハンドルネームと呼ばれる識別名称やパスワード等の様々な個人情報が格納される。
【００２２】
認証登録部２２は、例えばＡＳＰ、ＣＧＩまたは所定のスクリプト言語等を使用して、ウェブベースでのインターフェースにより閲覧者が自由に識別名称やパスワード等の様々な個人情報を入力できるようになっており、この認証登録部２２に入力された個人情報は個人情報データベース２１に格納される。また、閲覧者が当該第一のサイト１１毎に閲覧したり、この各第一のサイト１１内に投票ページが存在している場合にその投票ページに投票を行ったり、電子掲示板と呼ばれる意見投稿ページに意見を投稿したりする場合には、個人情報のうちの識別名称やパスワードを入力するようウェブページの入力欄を表示するなどして要求し、その入力欄に識別名称やパスワードが入力された場合に、閲覧者が閲覧等を行うことが可能となるようになっている。あるいは、必要な場合には、電子メールによる識別名称及びパスワード等の付与等をも併せて実施する。
【００２３】
ここで、この認証登録部２２では、他のサイト（第二のサイト１２及び第三のサイト１３）の閲覧認証を得るための認証情報が併せて登録される。この認証情報は、第一のサイト１１について会員登録した際に使用された認証情報がそのまま他のサイト（第二のサイト１２及び第三のサイト１３）の閲覧認証を得るための認証情報として利用されてもよいし、あるいは、第一のサイト１１について会員登録した際に使用された認証情報と異なって、他のサイト（第二のサイト１２及び第三のサイト１３）の閲覧認証を得るための認証情報を別個に取得するようにしてもよい。かかる認証情報は、動的な情報として各サイト（第二のサイト１２及び第三のサイト１３）に送信されて、閲覧認証のために利用される。
【００２４】
静的情報データベース２３は、上記した所定のテーマに基づいて作成された種々の情報（例えば、特定のアーティストの人物紹介や近々予定されているイベント情報や、そのアーティストの似顔絵等の画像データ、及びアイコンと呼ばれる画面操作用の画像データ等）が格納されている。この静的情報データベース２３内の種々の静的な情報は、コンテンツとして管理者によってアップデート（更新または改良）及びメンテナンス（保守管理）可能とされている。
【００２５】
動的情報データベース２４は、例えばＡＳＰまたはＣＧＩ等を利用して閲覧者から入力された動的な情報（例えば、特定のアーティストの発表した過去の出演作品や過去のヒット曲についての人気投票の結果データ、及び当該人気投票で人気のあった項目について当該アーティスト自身から投稿されたコメント等の文字情報等）がデータとして格納される。
【００２６】
ＨＴＭＬ自動生成部２５は、静的情報データベース２３内の静的な情報及び動的情報データベース２４内の動的な情報を組み合わせて、予め定められた条件に応じてレイアウトし、ＨＴＭＬ言語を用いてウェブページを自動的に生成する。このＨＴＭＬ自動生成部２５でのウェブページの作成は、閲覧者が当該第一のサイト１１に閲覧するたびに実行される。尚、このＨＴＭＬ自動生成部２５で生成されるウェブページとしては、後述の携帯ウェブサーバ２７を通じて携帯電話での閲覧を可能にするウェブページをも併せて生成するようになっている。
【００２７】
尚、第一のサイト１１のＨＴＭＬ自動生成部２５で生成されるウェブページのなかには、第二のサイト１２及び第三のサイト１３の紹介とそのリンクの情報を掲載したウェブページが含まれている。したがって、閲覧者は、そのウェブページを見て、第二のサイト１２や第三のサイト１３を閲覧することが可能となる。
【００２８】
ウェブサーバ２６は、ＨＴＭＬ自動生成部２５で生成されたウェブページについて、インターネット等の広域ネットワークを通じて閲覧者に対し閲覧可能な状態に設定する。
【００２９】
携帯ウェブサーバ２７は、ＨＴＭＬ自動生成部２５で作成された携帯電話用のウェブページについて、インターネット等の広域ネットワーク及び携帯電話網を通じてウェブページ閲覧機能付き携帯電話での閲覧が可能な状態に設定するもので、認証登録部２２に予め登録されている会員に対して、携帯電話で閲覧可能な種々の情報（例えば、特定のアーティストについて近々予定されているイベント情報等）を提供する。
【００３０】
尚、図２中の符号２８は会員や一般的な閲覧者が第一のサイト１１にアクセスするためのインターフェースを提供するウェブインターフェース部（Ｗｅｂ　Ｉｎｔｅｒｆｑｃｅ）を示している。
【００３１】
第二のサイト１２は、例えば、ネットワーク上に散在する複数の第一のサイト１１を包括するようなテーマ（例えば特定のアーティスト等）に関して、所定のサービス（例えば特定のアーティストのコンサートや催し物についてのチケット予約やそれに関する公式な情報提供等）を行うためのサービスサイト（例えば特定のアーティストについての公式サイト等）に関連するウェブサーバであって、例えば、各第一のサイト１１で会員登録された閲覧者のみが閲覧可能とされている。この第二のサイト１２は、単数であっても複数であっても差し支えない。
【００３２】
具体的に、この第二のサイト１２は、インターネット等の広域ネットワークに接続された一般的なコンピュータ装置が使用され、例えば各第一のサイト１１の認証登録部２２に予め登録されている会員のみが閲覧可能とされており、図３の如く、各第一のサイト１１から与えられた個人情報に基づいて登録された会員の閲覧のための認証を行う認証処理部３２と、例えば上記の所定のテーマに関連して予め作成された静的な情報を格納する静的情報データベース（Ｓｔａｔｉｃ　ＤＢ）３３と、閲覧者（会員等）の所定の投票やコメント等の所定の動的な情報が与えられたときにその動的な情報を蓄積する動的情報データベース（Ｄｙｎａｍｉｃ　ＤＢ）３４と、静的情報データベース３３及び動的情報データベース３４内の各情報に基づいて上記のテーマに関連するウェブページをＨＴＭＬ言語で自動的に生成するＨＴＭＬ自動生成部（ウェブページ自動生成部）３５と、このＨＴＭＬ自動生成部３５で生成されたウェブページを格納して閲覧者（会員等）が閲覧できる状態に設定するウェブサーバ３６と、ＨＴＭＬ自動生成部３５で生成されたウェブページに基づいて電子メールファイルを自動的に生成するメール生成部３７と、メール生成部３７で生成された電子メールファイルを予め各第一のサイト１１に個人情報として登録された各会員のメールアドレスに応じて送信するメールサーバ３８とを備える。
【００３３】
認証処理部３２は、第一のサイト１１の認証登録部２２と同様に、例えばＡＳＰ、ＣＧＩまたは所定のスクリプト言語等を使用して、各会員が当該第二のサイト１２内のウェブページを閲覧のための認証を行うようになっている。
【００３４】
静的情報データベース３３は、上記した所定のテーマに基づいて作成された種々の情報（例えば、特定のアーティストの人物紹介及び当該アーティストについて近々予定されているイベント情報や、そのアーティストの似顔絵等の画像データ、及びアイコンと呼ばれる画面操作用の画像データ等）が格納されている。この静的情報データベース３３内の種々の静的な情報は、コンテンツとして管理者によってアップデート（更新または改良）及びメンテナンス（保守管理）可能とされている。
【００３５】
動的情報データベース３４は、例えばＡＳＰまたはＣＧＩ等を利用して閲覧者（会員等）から入力された動的な情報（例えば、特定のアーティストの発表した過去の出演作品や過去のヒット曲についての人気投票の結果データ、及び当該人気投票で人気のあった項目について当該アーティスト自身から投稿されたコメント等の文字情報等）がデータとして格納される。
【００３６】
ＨＴＭＬ自動生成部３５は、静的情報データベース３３内の静的な情報及び動的情報データベース３４内の動的な情報を組み合わせて、予め定められた条件に応じてレイアウトし、ＨＴＭＬ言語を用いてウェブページを自動的に生成する。このＨＴＭＬ自動生成部３５でのウェブページの作成は、閲覧者（会員等）が当該第二のサイト１２に閲覧するたびに実行される。
【００３７】
尚、第二のサイト１２のＨＴＭＬ自動生成部３５で生成されるウェブページのなかには、例えば関連する第一のサイト１１及び第三のサイト１３の紹介とそのリンクの情報を掲載したウェブページが含まれている。したがって、閲覧者は、そのウェブページを見て、第一のサイト１１及び第三のサイト１３を閲覧することが可能となる。
【００３８】
ウェブサーバ３６は、ＨＴＭＬ自動生成部３５で生成されたウェブページについて、インターネット等の広域ネットワークを通じて閲覧者（会員等）に対し閲覧可能な状態に設定する。
【００３９】
メール生成部３７は、ＨＴＭＬ自動生成部３５で生成されたウェブページを例えばＭＩＭＥ（Ｍｕｌｔｉｐｕｒｐｏｓｅ　Ｉｎｔｅｒｎｅｔ　Ｍａｉｌ　Ｅｘｔｅｎｓｉｏｎｓ）形式の電子メールファイルに変換して電子メールコンテンツを自動的に生成する。尚、このメール生成部３７がウェブページを電子メールファイルに変換する動作は、例えば、各第二のサイト１２の管理者がコンピュータのディスプレイ画面上で所定の実行ボタンをマウスでクリックする等の所定の簡単な操作に応じて実行される。
【００４０】
メールサーバ３８は、メール生成部３７で新たな電子メールファイルが生成されるたびに、各会員のメールアドレスに対して電子メールの送信を行うようになっている。
【００４１】
尚、図３中の符号３９は会員や一般的な閲覧者が第一のサイト１１にアクセスするためのインターフェースを提供するウェブインターフェース部（Ｗｅｂ　Ｉｎｔｅｒｆｑｃｅ）を示している。
【００４２】
第三のサイト１３は、例えば、第一のサイト１１及び第二のサイト１２で取り扱っているテーマ（例えば特定のアーティスト）の属するより広い総合的な包括テーマ（例えば上記の特定のアーティストが所属している芸能プロダクション等）に関連して運営されている総合的且つ公式の総合サイトであり、上記の会員や一般閲覧者が閲覧可能な種々のコンテンツを提供するものである。そして、この第三のサイト１３は、インターネット等の広域ネットワークに接続された一般的なコンピュータ装置が使用され、例えば各第一のサイト１１の認証登録部２２に予め登録されている会員のみが閲覧可能とされており、図３に示した第二のサイト１２と類似の内部構成を有している。
【００４３】
具体的に、この第三のサイト１３は、図４の如く、各第一のサイト１１から与えられた個人情報に基づいて登録された会員の閲覧のための認証を行う認証登録部４２と、例えば上記の総合的な包括テーマに関連して予め作成された静的な情報を格納する静的情報データベース（Ｓｔａｔｉｃ　ＤＢ）４３と、閲覧者（会員等）の所定の投票やコメント等の所定の動的な情報が与えられたときにその動的な情報を蓄積する動的情報データベース（Ｄｙｎａｍｉｃ　ＤＢ）４４と、静的情報データベース４３及び動的情報データベース４４内の各情報に基づいて上記の包括テーマに関連するウェブページをＨＴＭＬ言語で自動的に生成するＨＴＭＬ自動生成部（ウェブページ自動生成部）４５と、このＨＴＭＬ自動生成部４５で生成されたウェブページを格納して閲覧者（会員等）が閲覧できる状態に設定するウェブサーバ４６と、ＨＴＭＬ自動生成部４５で生成されたウェブページに基づいて電子メールファイルを自動的に生成するメール生成部４７と、メール生成部４７で生成された電子メールファイルを予め各第一のサイト１１に個人情報として登録された各会員のメールアドレスに応じて送信するメールサーバ４８とを備える。
【００４４】
認証登録部４２は、第一のサイト１１の認証登録部２２と同様に、例えばＡＳＰ、ＣＧＩまたは所定のスクリプト言語等を使用して、各会員が当該第二のサイト１２内のウェブページを閲覧のための認証を行うようになっている。
【００４５】
静的情報データベース４３は、上記した総合的な包括テーマに基づいて作成された種々の情報（例えば、特定のアーティストの人物紹介及び当該アーティストについて近々予定されているイベント情報や、そのアーティストの似顔絵等の画像データ、及びアイコンと呼ばれる画面操作用の画像データ等）が格納されている。この静的情報データベース４３内の種々の静的な情報は、コンテンツとして管理者によってアップデート（更新または改良）及びメンテナンス（保守管理）可能とされている。
【００４６】
動的情報データベース４４は、上記の第一のサイト１１及び第二のサイト１２から与えられてくる時々刻々変化する動的な情報がデータとして格納される。
【００４７】
ＨＴＭＬ自動生成部４５は、静的情報データベース４３内の静的な情報及び動的情報データベース４４内の動的な情報を組み合わせて、予め定められた条件に応じてレイアウトし、ＨＴＭＬ言語を用いてウェブページを自動的に生成する。このＨＴＭＬ自動生成部４５でのウェブページの作成は、閲覧者（会員等）が当該第二のサイト１２に閲覧するたびに実行される。
【００４８】
尚、第三のサイト１３のＨＴＭＬ自動生成部４５で生成されるウェブページのなかには、例えば、第二のサイト１２の紹介とそのリンクの情報を掲載したウェブページが含まれている。したがって、閲覧者は、そのウェブページを見て、第二のサイト１２を閲覧することが可能となる。
【００４９】
ウェブサーバ４６は、ＨＴＭＬ自動生成部４５で生成されたウェブページについて、インターネット等の広域ネットワークを通じて閲覧者（会員等）に対し閲覧可能な状態に設定する。
【００５０】
メール生成部４７は、ＨＴＭＬ自動生成部４５で生成されたウェブページを例えばＭＩＭＥ（Ｍｕｌｔｉｐｕｒｐｏｓｅ　Ｉｎｔｅｒｎｅｔ　Ｍａｉｌ　Ｅｘｔｅｎｓｉｏｎｓ）形式の電子メールファイルに変換して電子メールコンテンツを自動的に生成する。尚、このメール生成部４７がウェブページを電子メールファイルに変換する動作は、例えば、各第二のサイト１２の管理者がコンピュータのディスプレイ画面上で所定の実行ボタンをマウスでクリックする等の所定の簡単な操作に応じて実行される。
【００５１】
メールサーバ４８は、メール生成部４７で新たな電子メールファイルが生成されるたびに、各会員のメールアドレスに対して電子メールの送信を行うようになっている。
【００５２】
尚、図４中の符号４９は会員や一般的な閲覧者が第一のサイト１１にアクセスするためのインターフェースを提供するウェブインターフェース部（Ｗｅｂ　Ｉｎｔｅｒｆｑｃｅ）を示している。
【００５３】
上記構成の情報提供システムにおいて、テーマとして特定のアーチストに関連する情報を提供する場合を例に、その利用方法を説明する。
【００５４】
まず、フリーペーパー、雑誌、テレビまたはその他の各種メディアにおいて、特定のアーティストについての第一のサイト１１のＩＰアドレス等を紹介する。そのアーティストに興味を持つ一般閲覧者は、それらの各種メディアを通じて第一のサイト１１のＩＰアドレスを見て、そのＩＰアドレスを閲覧用の利用端末（コンピュータ装置）または携帯電話等で指定し、第一のサイト１１にアクセスし、ウェブページの閲覧を要求する。
【００５５】
第一のサイト１１では、図５中のステップＳ１において、ＨＴＭＬ自動生成部２５で自動生成されたウェブページのうち、入口のウェブページとして設定されたポータルページを閲覧用の利用端末（コンピュータ装置）または携帯電話に送信する。
【００５６】
閲覧用の利用端末または携帯電話では、第一のサイト１１から送信されてきたポータルページを見て、そこに表示されたリンクの欄にカーソルを併せたりマウスでクリックするなどの所定の操作を行い、そのリンクで指定されているウェブページについてアクセスを試みる。
【００５７】
このとき、第一のサイト１１側では、例えばＡＳＰ、ＣＧＩまたは所定のスクリプト言語等を使用して、個人情報としての識別名称やパスワードを入力する入力欄を閲覧用の利用端末または携帯電話側に送信し、閲覧者に対してその入力欄に識別名称やパスワードを入力するよう要求する。またこの入力欄を表示するための画面に、アクセスしようとした閲覧者が会員として未登録である場合であって、会員として登録を希望する閲覧者が登録作業を行うための登録ページへのリンクを表示できるように、画面レイアウトの設定を行っておく。
【００５８】
閲覧者が既に登録されている会員であって、入力欄に識別名称やパスワードを入力した場合は、その識別名称やパスワードのデータが第一のサイト１１に送信され、第一のサイト１１内のウェブインターフェース２８から認証登録部２２に入力される。認証登録部２２は、個人情報データベース２１内の個人情報を参照し、合致したデータがあれば、アクセスのあった閲覧者が会員として認証されたものとして、指定されたウェブページのコンテンツを、ウェブサーバ２６または携帯ウェブサーバ２７を通じて閲覧用の利用端末や携帯電話に送信する。この際に送信されるウェブページは、静的情報データベース２３内の静的な情報と動的情報データベース２４内の動的な情報を組み合わせてＨＴＭＬ自動生成部２５で自動生成されたウェブページである。
【００５９】
閲覧用の利用端末や携帯電話では、図５中のステップＳ２において、閲覧用の利用端末や携帯電話の画面に、第一のサイト１１から与えられたウェブページを表示する。図６中の符号１１Ａは、かかるウェブページの利用端末や携帯電話の画面での表示例を示している。
【００６０】
そして、会員としての閲覧者は、様々なリンクを指定操作することで、第一のサイト１１内で取り扱っている投票ページや電子掲示板等の送信を要求し、この要求に応じて送信されてきたこれらのウェブページを利用端末や携帯電話の画面に表示して、投票や意見投稿等の入力操作を行う。
【００６１】
ここで入力操作されたデータは、動的な情報として第一のサイト１１に送信され、動的情報データベース２４内に格納される。これにより、第一のサイト１１が取り扱っている特定のアーティストの過去の出演作品や過去のヒット曲についての人気投票の結果データ等が蓄積される。そして、次に閲覧者からアクセスがあるときに、ＨＴＭＬ自動生成部２５でのウェブページの自動生成の一部のデータとして使用される。
【００６２】
また、かかる動的情報データベース２４内の動的な情報は、例えば１時間毎等の所定の一定期間毎に第二のサイト１２及び第三のサイト１３に転送される。
【００６３】
尚、第一のサイト１１のＨＴＭＬ自動生成部２５で生成されるウェブページのなかには、例えば、第二のサイト１２や第三のサイト１３に、アーティスト自身からの投稿メッセージがあった場合に、これを動的な情報として受信し、その動的な情報を含ませて表示するようにウェブページが含まれる。
【００６４】
また、例えば第二のサイト１２で会員に向けてイベントの予約等の様々なサービスを実施している場合に、例えば現時点での予約状況等のサービス状況などをウェブページとして生成して第一のサイト１１から提供するようにしてもよい。
【００６５】
さらに、第一のサイト１１のＨＴＭＬ自動生成部２５で生成されるウェブページのなかには、第二のサイト１２及び第三のサイト１３の紹介とそのリンクの情報を掲載したウェブページが含まれている。したがって、閲覧者は、そのウェブページを見て、第二のサイト１２や第三のサイト１３を閲覧することが可能となる。
【００６６】
次に、図５中のステップＳ３のように、各アーティストの公式サイトである第二のサイト１２を閲覧者（会員）が閲覧する場合の動作を説明する。尚、第二のサイト１２は、例えば、複数存在するいずれかの第一のサイト１１で登録された会員のみに対して閲覧認定されるものとする。また、第一のサイト１１からは、会員の認証のための個人情報やその他の動的な情報が一定時間毎に送信されてきており、かかる動的な情報が動的情報データベース３４内に格納されているものとする。
【００６７】
閲覧者は、第一のサイト１１または第三のサイト１３が提供するウェブページのひとつからリンクを辿って第二のサイト１２にアクセスを試みる。このとき、第二のサイト１２では、ＨＴＭＬ自動生成部３５で自動生成されたウェブページのうち、入口のウェブページとして設定されたフロントページを閲覧用の利用端末または携帯電話に送信する。
【００６８】
閲覧用の利用端末または携帯電話では、第二のサイト１２から送信されてきたフロントページを見て、そこに表示されたリンクの欄にカーソルを併せたりマウスでクリックするなどの所定の操作を行い、そのリンクで指定されているウェブページについてアクセスを試みる。
【００６９】
このとき、第二のサイト１２側では、第一のサイト１１の閲覧のときと同様に、識別名称やパスワードを入力する入力欄を閲覧用の利用端末または携帯電話側に送信し、閲覧者に対してその入力欄に識別名称やパスワードを入力するよう要求する。
【００７０】
閲覧者が入力欄に識別名称やパスワードを入力した場合は、その識別名称やパスワードのデータが第二のサイト１２に送信され、第二のサイト１２内のウェブインターフェース３９から認証処理部３２に入力される。認証処理部３２は、第一のサイト１１から与えられて動的情報データベース３４内に格納されている個人情報を参照し、合致したデータがあれば、アクセスのあった閲覧者が会員として認証されたものとして、指定されたウェブページのコンテンツを、ウェブサーバ３６を通じて閲覧用の利用端末に送信する。また、閲覧者（会員）が指定した場合には、ウェブページのコンテンツをメール生成部３７で電子メールファイルに変換し、メールサーバ３８を通じて電子メールとして情報提供としての送信を行う。尚、これらのコンテンツとしては、例えば、この第二のサイト１２がテーマとしているアーティストの近況報告や近々開催される予定のイベントの情報等が含まれる。
【００７１】
閲覧用の利用端末では、閲覧用の利用端末や携帯電話の画面に、第二のサイト１２から与えられたウェブページを表示する。図６中の符号１２Ａは、かかるウェブページの利用端末の画面での表示例を示している。
【００７２】
このウェブページとしては、例えば、複数の第一のサイト１１から転送されてきた動的な情報の集計結果を含んでおり、例えば、アーティストの過去の出演作品や過去のヒット曲についての人気投票の結果等がある。あるいは、関連するテーマに沿った様々なグッズの通信販売を行うようなウェブページを用意しても良い。あるいは、複数の第一のサイト１１で個別に会員になった者同士で、これらの複数の第一のサイト１１を包括する第二のサイト１２こでチャット、電子掲示板またはＴＶ電話などを通じてコミュケーションすることができるようにしてもよい。
【００７３】
そして、会員は、様々なリンクを指定操作することで、第二のサイト１２内で取り扱っているコンテンツのウェブページの送信を要求し、この要求に応じて送信されてきたこれらのウェブページを利用端末の画面に表示する。ここで、かかるウェブページのなかには、例えばコンサート等のイベントのチケット予約等が含まれているものとする。かかるウェブページは、ＡＳＰまたはＣＧＩ等により容易に入力操作してチケット予約を行うことが可能となっている。そして、会員としての閲覧者は、かかるウェブページの画面上で所定の操作を行って、チケット予約を行う。
【００７４】
ここで入力操作されたチケット予約についてのデータは、動的な情報として第二のサイト１２に送信され、動的情報データベース３４内に格納される。これにより、様々な利用端末で実行されたチケット予約のデータが蓄積及び集計される。そして、例えば、かかるチケット予約の集計情報（例えば、現時点で何枚のチケットが予約されているかを示す数値情報）等を表示するウェブページが、ＨＴＭＬ自動生成部３５で自動的に生成される。これにより、会員としての閲覧者は、刻々と変化するチケット予約状況をいつでも容易に確認することができる。
【００７５】
あるいは、閲覧者は、電子掲示板に対してアーティストに対する応援のメッセージ等を文字情報として投稿する。かかるメッセージの文字情報は、動的な情報として動的情報データベース３４内に格納される。
【００７６】
そして、上記のようにして得られた動的情報データベース３４内の動的な情報は、例えば１時間毎等の所定の一定期間毎に第三のサイト１３に転送される。
【００７７】
続いて、図５中のステップＳ４に総合サイトとしての第三のサイト１３の閲覧動作について説明する。尚、第三のサイト１３は、会員だけでなく非会員の一般の閲覧者も閲覧可能となっている。
【００７８】
閲覧者は、まず、雑誌等の各種メディア見たり、第一のサイト１１または第二のサイト１２から提供されたウェブページ内に表示されたリンクを辿ったりして、第三のサイト１３にアクセスを試みる。このとき、第三のサイト１３では、ＨＴＭＬ自動生成部４５で自動生成されたウェブページのうち、入口のウェブページとして設定されたフロントページを閲覧用の利用端末または携帯電話に送信する。
【００７９】
閲覧用の利用端末または携帯電話では、第三のサイト１３から送信されてきたフロントページを見て、そこに表示されたリンクの欄にカーソルを併せたりマウスでクリックするなどの所定の操作を行い、そのリンクで指定されているウェブページについてアクセスを試みる。
【００８０】
このとき、第三のサイト１３側では、リンクで指定されたウェブページのコンテンツを、ウェブサーバ４６を通じて閲覧用の利用端末に送信する。また、閲覧者（会員）が指定した場合には、ウェブページのコンテンツをメール生成部４７で電子メールファイルに変換し、メールサーバ４８を通じて電子メールとして情報提供としての送信を行う。尚、これらのコンテンツとしては、例えば、この第三のサイト１３が取り扱う包括テーマに含まれる複数のアーティストの人気ランク等が含まれる。
【００８１】
閲覧用の利用端末では、閲覧用の利用端末や携帯電話の画面に、第三のサイト１３から与えられたウェブページを表示する。図６中の符号１３Ａは、かかるウェブページの利用端末の画面での表示例を示している。
【００８２】
ここで、第三のサイト１３から得られて利用端末に表示する情報としては、包括テーマに属する様々なテーマ（例えば、第三のサイト１３が芸能プロダクションである場合に、当該芸能プロダクションに所属する各アーティスト）に関連する複数の公式サイトとしての第二のサイト１２や、各第二のサイト１２の各テーマ（特定のアーティスト等）に関連して散在された個人サイトとしての第一のサイト１１から得られた動的な情報の集計結果や、各イベントの予約状況等のうち、人気のある順番にリストの並び替えを行った結果などがある。あるいは、その人気のある一部のアーティストが自ら自分をテーマとしている第二のサイト１２にメッセージを投稿した場合には、そのうちの人気投票で上位にランキングされたアーティストのみを表示するなどがある。
【００８３】
さらに、閲覧者が閲覧するためのコンテンツ（ウェブページ）だけでなく、第三のサイト１３での集計において、人気投票で第１位になったアーティストに関連する第二のサイト１２に、その第１位になった旨を通知する旨の電子メールや、あるいは動的な情報を送信するようにしてもよい。ここで、かかる情報を動的な情報として第二のサイト１２に送信した場合は、第二のサイト１２において、この動的な情報を用いてウェブページを自動生成し、閲覧者に提供することができる。
【００８４】
以上のように、この情報提供システムでは、所定のテーマに沿った様々なコンテンツの提供を行うための個人サイト等の複数の第一のサイト１１と、そのテーマに沿った複数の第一のサイト１１を包括するサービスサイトとしての第二のサイト１２と、第一のサイト１１及び第二のサイト１２で取り扱うテーマを含みつつさらに広い範囲のテーマを取り扱う総合サイトとしての第三のサイト１３とが、それぞれ保有している動的な情報を共有しながら自動的にウェブページを生成して閲覧者に対して閲覧可能な状態に設定しているので、単独でウェブサイトの運営管理を行う場合に比べて、有意な情報を飛躍的に増大できる。そして、動的な情報を共有することで、刻々と変化する情報をも容易に統合的に取り扱うことができ、また動的な情報をデータとしてみた場合に、インターネット等の広域ネットワークに散在する複数の第一のサイト１１や第二のサイト１２により幅広くデータ収集を行うことができるので、サンプル数が増大することにより信頼性のあるデータ収集を行うことができる。
【００８５】
また、第一のサイト１１の認証登録部２２で、他のサイト（第二のサイト１２及び第三のサイト１３）の閲覧認証を得るための認証情報が併せて登録され、これが動的な情報として他のサイトに送信されて利用されるので、会員管理を効率良く行うことができる。
【００８６】
尚、上記の実施の形態では、アーティストのファンサイトや芸能プロダクションのウェブサイトを例に挙げて説明したが、これに限るものでないことは勿論である。
【００８７】
【発明の効果】
請求項１に記載の発明によれば、所定のテーマに関連するウェブページを提供するよう所定の広域ネットワークに複数散在する第一情報提供局と、所定のテーマに関連して閲覧者に対し種々のサービスを行うよう広域ネットワークに接続された第二情報提供局と、所定のテーマが属する包括テーマに関連して閲覧者に対し種々のサービスを行うよう広域ネットワークに接続された第三情報提供局とが存在している場合に、第一情報提供局内の動的な情報を第二情報提供局で共有し、第二情報提供局内の動的な情報を第三情報提供局で共有し、これらの動的な情報や他の静的な情報を用いてウェブページ自動生成部で閲覧者の閲覧に供するウェブページを自動的に生成するので、各情報提供局の有機的な連携により、第一情報提供局や第二情報提供局で得られた動的な情報を有効に活用して、個別の情報の提供や集約的な情報の提供などの様々な態様の情報を提供できる。特に、請求項２のように、第一情報提供局内の動的な情報が第三情報提供局でも共有され、第二情報提供局内の動的な情報が第一情報提供局でも共有され、第三情報提供局内の動的な情報が第一情報提供局及び／または第二情報提供局でも共有されると、動的な情報の活用をさらに様々な用途で使用できるため効果的である。
【００８８】
さらに、請求項３のように、いずれかの局で閲覧者の識別情報及びパスワードを認証登録部で登録し、この登録された情報を他のいずれかの局で用いて閲覧の認証を行うので、会員制のウェブサイトにおいて有効に機能する情報提供システムを構築できる。
【００８９】
また、請求項４に記載の発明によれば、動的な情報を含ませたウェブページを電子メールで送信するようになっているので、動的な情報を加味した情報の提供を効率的に行うことができる。
【００９０】
請求項５に記載の発明によれば、動的な情報に、他の情報提供局の閲覧認証を得るための認証情報が含まれるので、この認証情報を動的な情報として他のサイトに送信して利用することが可能となり、会員管理を効率良く行うことができる。
【図面の簡単な説明】
【図１】この発明の一の実施の形態に係る情報提供システムの全体的な概念を示すブロック図である。
【図２】この発明の一の実施の形態に係る情報提供システムの第一のサイトを示すブロック図である。
【図３】この発明の一の実施の形態に係る情報提供システムの第二のサイトを示すブロック図である。
【図４】この発明の一の実施の形態に係る情報提供システムの第三のサイトを示すブロック図である。
【図５】この発明の一の実施の形態に係る情報提供システムの全体的なシステムの流れを示すフローチャートである。
【図６】この発明の一の実施の形態に係る情報提供システムにおいて各サイト内のウェブページを利用端末等に表示した状態を示す図である。
【図７】従来の情報提供システムり概要を示すブロック図である。
【符号の説明】
１１　第１のサイト
１２　第２のサイト
１３　第３のサイト
２１　個人情報データベース
２２　認証登録部
２３，３３，４３　静的情報データベース
２４，３４，４４　動的情報データベース
２５，３５，４５　ＨＴＭＬ自動生成部
２６，３６，４６　ウェブサーバ
２７　携帯ウェブサーバ
３２　認証処理部
３７，４７　メール生成部
３８，４８　メールサーバ
４２　認証登録部
【図１】
2004046508.tif 000003
【図２】
2004046508.tif 000004
【図３】
2004046508.tif 000005
【図４】
2004046508.tif 000006
【図５】
2004046508.tif 000007
【図６】
2004046508.tif 000008
【図７】
2004046508.tif 000009